(57)【要約】  配線層は、電極層の端部との接続位置に設けられた接続端部２３ａ〜２３ｅと、前記接続端部から引き出された配線延出部２４ａ〜２４ｅとを備える。複数本の前記配線層における配線延出部２４ａ〜２４ｅが、夫々、入力領域から見て同じ側のＸ１側非入力領域１２ａでＸ１−Ｘ２方向に間隔を空けた状態でＹ１−Ｙ２方向に延出しているとともに、各配線延出部２４ａ〜２４ｅの配線幅は、前記Ｘ１−Ｘ２にて並設される前記配線層の本数が少ない領域ほど、大きく形成されている。
2012011390.tif 000002
【特許請求の範囲】
【請求項１】
入力領域に設けられた電極層と、入力領域の外側の非入力領域にて引き回された配線層とを有し、
前記配線層は、前記電極層の端部との接続位置に設けられた接続端部と、前記接続端部から引き出された配線延出部とを備え、
平面内にて直交する２方向を第１の方向と第２の方向としたとき、複数本の前記配線層における前記配線延出部が、夫々、前記入力領域から見て同じ側の前記非入力領域で前記第１の方向に間隔を空けた状態で前記第２の方向に延出しているとともに、各配線延出部の配線幅は、前記第１の方向にて並設される前記配線層の本数が少ない領域ほど、大きく形成されていることを特徴とする入力装置。
【請求項２】
前記配線延出部には、前記第２の方向に向けて徐々に配線幅が変化する幅変化領域が形成されている請求項１記載の入力装置。
【請求項３】
前記幅変化領域における側端部の前記第２の方向に対する傾き角度θ１は４５°以下である請求項２記載の入力装置。
【請求項４】
前記配線延出部は、前記第２の方向に向けて、前記幅変化領域と、前記第２の方向に平行に延びる配線幅が一定の幅一定領域とが交互に繰り返して形成されており、前記幅変化領域は前記幅一定領域から折れ曲がって形成されている請求項２または３に記載の入力装置。
【請求項５】
入力領域に設けられた電極層と、入力領域の外側の非入力領域にて引き回された配線層とを有して成る入力装置の製造方法において、
前記電極層の端部との接続位置に設けられた接続端部と、前記接続端部から引き出された配線延出部とを備える前記配線層を形成し、
平面内にて直交する２方向を第１の方向と第２の方向としたとき、複数本の前記配線層における前記配線延出部を、夫々、前記入力領域から見て同じ側の前記非入力領域で前記第１の方向に間隔を空けた状態で前記第２の方向に延出させるとともに、各配線延出部の配線幅を、前記第１の方向にて並設される前記配線層の本数が少ないほど、大きく形成することを特徴とする入力装置の製造方法。
【請求項６】
前記配線層をエッチングにて所定形状に形成し、この際、前記配線延出部に、前記第２の方向に向けて徐々に配線幅が変化する幅変化領域を形成する請求項５記載の入力装置の製造方法。
【請求項７】
前記幅変化領域における側端部の前記第２の方向に対する傾き角度θ１を４５°以下に設定する請求項６記載の入力装置の製造方法。
【請求項８】
前記配線延出部を、前記第２の方向に向けて、前記幅変化領域と、前記第２の方向に平行に延びる配線幅が一定の幅一定領域とを交互に繰り返して形成し、このとき、前記幅変化領域を前記幅一定領域から折れ曲がるように形成する請求項６または７に記載の入力装置の製造方法。
【発明の詳細な説明】
【技術分野】
【０００１】
本発明は、入力領域の外側に位置する非入力領域に複数の配線層が延出して形成されて成る入力装置に関し、特に配線層の構造に関する。
【背景技術】
【０００２】
以下の特許文献１，２には、入力装置（タッチパネル）の構造が開示されている。入力装置の入力領域には複数本の電極層が配置されている。そして操作者が指等で入力領域を操作すると、その操作位置を静電容量変化等で検出できるようになっている。入力領域の外側の非入力領域には、各電極層に電気的に接続された配線層が形成されている。【０００３】
特許文献１等に示す前記配線層は、図９に示すように、各電極層の端部との接続位置に設けられた幅の太い接続端部１（特許文献１には太幅部と記載されている）と、接続端部１から延出する配線延出部２（特許文献１には細幅部と記載されている）とで構成される。【０００４】
図９に示すように、各配線層の配線延出部２は、ほぼ同じ幅寸法で細長く形成されている。なお特許文献１には前記配線延出部の配線幅について記載されていないが、特許文献１の図面から判断すると、各配線層の配線延出部の配線幅は図９に示すように、全て、ほぼ同じ幅寸法で形成されていると考えられる。【０００５】
しかしながら、かかる形態では、特に配線延出部２の長い配線層ほど異物の混入等で断線する確率が高くなる構造となっている。また各配線層の配線抵抗のばらつきが大きくなる問題がある。【０００６】
また、特許文献２に記載された発明では、配線層の長さ寸法が長いものほど、配線幅が細くなるように形成されているため、ますます断線の問題が生じやすく配線抵抗のばらつきが更に大きくなってしまう。
【先行技術文献】
【特許文献】
【０００７】
【特許文献１】特開２０１０−６１３８４号公報
【特許文献２】特開２００９−２５８９３５号公報
【発明の概要】
【発明が解決しようとする課題】
【０００８】
そこで本発明は上記従来の課題を解決するためのものであり、特に、配線構造を改良して、断線の確率を低減し、更に各配線層の配線抵抗のばらつきを抑制することが可能な入力装置及びその製造方法を提供することを目的とする。
【課題を解決するための手段】
【０００９】
本発明における入力装置は、
入力領域に設けられた電極層と、入力領域の外側の非入力領域にて引き回された配線層とを有し、
前記配線層は、前記電極層の端部との接続位置に設けられた接続端部と、前記接続端部から引き出された配線延出部とを備え、
平面内にて直交する２方向を第１の方向と第２の方向としたとき、複数本の前記配線層における前記配線延出部が、夫々、前記入力領域から見て同じ側の前記非入力領域で前記第１の方向に間隔を空けた状態で前記第２の方向に延出しているとともに、各配線延出部の配線幅は、前記第１の方向にて並設される前記配線層の本数が少ない領域ほど、大きく形成されていることを特徴とするものである。【００１０】
また本発明は、入力領域に電極層と、入力領域の外側の非入力領域にて引き回された配線層とを有して成る入力装置の製造方法において、
前記電極層の端部との接続位置に設けられた接続端部と、前記接続端部から引き出された配線延出部とを備える前記配線層を形成し、
平面内にて直交する２方向を第１の方向と第２の方向としたとき、複数本の前記配線層における前記配線延出部を、夫々、前記入力領域から見て同じ側の前記非入力領域で前記第１の方向に間隔を空けた状態で前記第２の方向に延出させるとともに、各配線延出部の配線幅を、前記第１の方向にて並設される前記配線層の本数が少ないほど、大きく形成することを特徴とするものである。【００１１】
このように本発明では、各配線延出部の配線幅を従来のように同じ幅で形成するのではなく、並設される配線層の本数が少ない領域ほど大きく形成した。よって、長さの長い配線延出部に対して、並設される配線層の本数が少ない領域で配線幅を大きく形成でき、断線の確率を従来に比べて効果的に低くすることが出来る。さらに、配線延出部の配線幅は、配線延出部の長さ寸法が長くなるほど、平均して大きくすることができるため、各配線層の配線抵抗のばらつきを小さくすることが可能になる。【００１２】
本発明では、前記配線延出部には、前記第２の方向に向けて徐々に配線幅が変化する幅変化領域が形成されていることが好ましい。また前記幅変化領域における側端部の前記第２の方向に対する傾き角度θ１は４５°以下であることが好ましい。更に、前記配線延出部は、前記第２の方向に向けて、前記幅変化領域と、前記第２の方向に平行に延びる配線幅が一定の幅一定領域とが交互に繰り返して形成されており、前記幅変化領域は前記幅一定領域から折れ曲がって形成されていることが好ましい。【００１３】
上記のように幅変化領域を形成することで、配線層を、エッチングにて所定形状に形成する際に、配線延出部の側端部に形成されるコーナー部分にエッチング液の液溜りができるのを抑制でき、各配線層を所定形状にて適切に形成することが可能になる。また、非入力領域の限られた非入力領域内に効率良く各配線延出部を形成することができる。
【発明の効果】
【００１４】
本発明では、並設される配線層の本数が少ない領域ほど配線幅を大きく形成するため、長さの長い配線延出部に対して、並設される配線層の本数が少ない領域で配線幅を大きく形成できる。よって断線の確率を従来に比べて効果的に低くすることが出来る。さらに、配線延出部の配線幅は、配線延出部の長さ寸法が長くなるほど、平均して大きくすることができるため、各配線層の抵抗抵抗のばらつきを小さくすることが可能になる。
【図面の簡単な説明】
【００１５】
【図１】本実施形態の静電容量式の入力装置（タッチパネル）の下部基板の平面図、
【図２】本実施形態の上部基板の平面図、
【図３】本実施形態における入力装置をＸ１−Ｘ２方向に向けて切断したときの部分縦断面図、
【図４】図４（ａ）は、本実施形態における配線層の部分拡大平面図、図４（ｂ）は、図４（ａ）に示す各配線層の配線延出部の配線幅を示す模式図、図４（ｃ）は、図４（ｂ）と異なる形態を示す配線幅を示す模式図、
【図５】図３とは異なる形態の入力装置の部分縦断面図、
【図６】図３とは異なる形態の入力装置の部分縦断面図、
【図７】図７（ａ）は、図１〜図３と異なる形態の入力装置の部分平面図、図７（ｂ）は、部分縦断面図、
【図８】本実施形態の入力装置の下部基板の製造方法を示す一工程図（部分縦断面図）、
【図９】従来の配線層の平面図。
【発明を実施するための形態】
【００１６】
図１は、本実施形態の静電容量式の入力装置（タッチパネル）の下部基板の平面図、図２は上部基板の平面図、図３は、本実施形態における入力装置をＸ１−Ｘ２方向に向けて切断したときの部分縦断面図、図４（ａ）は、本実施形態における配線層の部分拡大平面図、図４（ｂ）は、図４（ａ）に示す各配線層の配線延出部の配線幅を示す模式図、図４（ｃ）は、図４（ｂ）と異なる形態を示す配線幅を示す模式図である。
【００１７】
図１，図３に示す下部基板２２は、下部基材３２と下部基材３２の表面に形成された複数本の下部電極層１４とを有して構成される。各下部電極層１４は入力領域（センサ領域）１１内に形成される。
【００１８】
図１に示すように各下部電極層１４は、いずれも複数の第１電極部４０がＸ１−Ｘ２方向（第１の方向）に、前記第１電極部４０より細い連結部４１を介して連設された形態である。なお図１では一つの第１電極部４０及び連結部４１にのみ符号を付した。図１では、第１電極部４０の形状が略菱形形状で形成されているが、この形状に限定するものではない。
【００１９】
そして図１に示すように各下部電極層１４は、Ｘ１−Ｘ２方向に直交するＹ１−Ｙ２方向（第２の方向）に所定の間隔を空けて配列されている。
【００２０】
なお、この実施形態では、Ｘ１−Ｘ２方向を第１の方向とし、Ｙ１−Ｙ２方向を第２の方向と設定したが、方向を限定するものではない。
【００２１】
図１に示すように入力領域１１の周囲は額縁状の非入力領域１２となっている。
図１に示すように、非入力領域１２には各下部電極層１４のＸ１−Ｘ２方向における端部と電気的に接続される複数本の配線層１５ａ〜１５ｊが形成されている。なお図１では、各配線層１５ａ〜１５ｊを全て同じ線状にて模式的に示したが、実際には後述する図４（ａ）に示すような配線形状で形成されている。図１に示すように、各配線層１５ａ〜１５ｅは、一つ置きに配列された各下部電極層１４のＸ１側端部に電気的に接続されている。また各配線層１５ｆ〜１５ｊは、残りの各下部電極層１４のＸ２側端部に電気的に接続されている。
【００２２】
図１に示すように、各配線層１５ａ〜１５ｅは、入力領域１１から見てＸ１側に位置するＸ１側非入力領域１２ａ内にて引き回されている。各配線層１５ａ〜１５ｅはＸ１−Ｘ２方向（第１の方向）に間隔を空けた状態で、Ｙ１−Ｙ２方向（第２の方向）に直線状に延出して形成されている。また図１に示すように各配線層１５ａ〜１５ｅの先端は入力領域１１から見てＹ２側に位置するＹ２側非入力領域１２ｂに位置して、フレキシブルプリント基板（図示しない）と電気的に接続される外部接続部２７を構成している。
【００２３】
また図１に示すように、各配線層１５ｆ〜１５ｊは、入力領域１１から見てＸ２側に位置するＸ２側非入力領域１２ｃ内にて引き回されている。各配線層１５ｆ〜１５ｊはＸ１−Ｘ２方向（第１の方向）に間隔を空けた状態で、Ｙ１−Ｙ２方向（第２の方向）に直線状に延出して形成されている。また図１に示すように各配線層１５ｆ〜１５ｊの先端は入力領域１１から見てＹ２側に位置するＹ２側非入力領域１２ｂに位置して、フレキシブルプリント基板（図示しない）と電気的に接続される外部接続部１７を構成している。
【００２４】
図３に示すように配線層１５（図３では統一して符号１５と示した）は、透明導電層１６上に重ねて形成されている。この透明導電層１６は入力領域１１に位置する各下部電極層１４と一体に形成されたＩＴＯ膜等であり、非入力領域１２では、各配線層１５と略同一の配線パターン形状にて形成されている。
【００２５】
図２，図３に示す上部基板２１は、上部基材３３と上部基材３３の表面に形成された複数本の上部電極層１３とを有して構成される。各上部電極層１３は入力領域（センサ領域）１１内に形成される。
【００２６】
図２に示すように各上部電極層１３は、いずれも複数の第２電極部４２がＹ１−Ｙ２方向（第２の方向）に、前記第２電極部４２より細い連結部４３を介して連設された形態である。なお図２では一つの第２電極部４２及び連結部４３にのみ符号を付した。図２では、第２電極部４２の形状が略菱形形状で形成されているが、この形状に限定するものではない。
【００２７】
そして図２に示すように各上部電極層１３は、Ｘ１−Ｘ２方向（第１の方向）に所定の間隔を空けて配列されている。
【００２８】
図２に示すように、非入力領域１２には各上部電極層１３のＹ１−Ｙ２方向における端部と電気的に接続される複数本の配線層１８ａ〜１８ｇが形成されている。図２に示すように、各配線層１８ａ〜１８ｇは、各上部電極層１３のＹ２側端部に電気的に接続されている。
【００２９】
図２に示すように、各配線層１８ａ〜１８ｇは、入力領域１１から見てＹ２側に位置するＹ２側非入力領域１２ｂ内にて引き回されている。そして図２に示すように各配線層１８ａ〜１８ｇの先端は、Ｙ２側非入力領域１２ｂ内にて、フレキシブルプリント基板（図示しない）と電気的に接続される外部接続部１９を構成している。上部基板２１に形成された外部接続部１９と、下部基板２２に形成された外部接続部２７，１７（図１参照）とは平面的に重ならないように形成されている。
【００３０】
図３に示すように下部基板２２と上部基板２１との間は粘着層３０を介して接合されている。
【００３１】
各電極層１３，１４はいずれも基材表面にＩＴＯ（Indium Tin Oxide）等の透明導電材料でスパッタや蒸着により成膜される。また基材３２，３３は、ポリエチレンテレフタレート（ＰＥＴ）等のフィルム状の透明基材やガラス基材等で形成される。また各配線層１５ａ〜１５ｊ，１８ａ〜１８ｇは、Ｃｕ、Ｃｕ合金、ＣｕＮｉ合金、Ｎｉ、Ａｇ等の金属材料で形成される。各配線層１５ａ〜１５ｊ，１８ａ〜１８ｇは、単層構造であってもよいし積層構造であってもよい。
【００３２】
図３に示すように、上部基材２１の上面側に粘着層３１を介して表面部材２０が接合されている。粘着層３０，３１は光学透明粘着層（ＯＣＡ）、両面粘着テープ等である。表面部材２０は特に材質を限定するものではないが、ガラスや透明なプラスチック等で形成される。表面部材２０の非入力領域１２の裏面には加飾層３４が形成されている。これにより、入力領域１１を透光性に、非入力領域１２を非透光性にできる。
【００３３】
図３に示すように指Ｆを入力領域１１の操作面２０ａ上に接触させると、指Ｆと、指Ｆに近い各電極層１３，１４の電極部４０，４２との間で静電容量が生じる。よって、指Ｆを操作面２０ａ上に接触させたときと接触させないときとで容量変化が生じる。そして、この容量変化に基づいて指Ｆの接触位置を算出することが可能である。なお、操作位置の検出方法は本実施形態以外のものであってもよい。
【００３４】
図４（ａ）は、図１に示すＸ１側非入力領域１２ａに配列された各配線層１５ａ〜１５ｅの部分拡大平面図である。図４（ａ）に示すように、各配線層１５ａ〜１５ｅは、各下部電極層１４の端部との接続位置に設けられた接続端部２３ａ〜２３ｅと、各接続端部２３ａ〜２３ｅからＹ１−Ｙ２方向に延出する配線延出部２４ａ〜２４ｅとを備えて構成される。
【００３５】
ここで各接続端部２３ａ〜２３ｅと各配線延出部２４ａ〜２４ｅとの境界であるが、図４の実施形態では、前記境界が段差部２３ａ１〜２３ｅ１で規定され、各配線層１５ａ〜１５ｅにおいて、前記段差部２３ａ１〜２３ｅ１よりもＹ１側が、接続端部２３ａ〜２３ｅ、前記段差部２３ａ１〜２３ｅ１よりもＹ２側が、配線延出部２４ａ〜２４ｅとして定義される。各接続端部２３ａ〜２３ｅは、各配線層１５ａ〜１５ｅの中で、最も配線幅が大きい領域を有している。なお接続端部２３ａ〜２３ｅと配線延出部２４ａ〜２４ｅとの境界をどこにするかは、配線層の形態等により適宜、設定することができる。各接続端部２３ａ〜２３ｅのＸ２側端部２３ａ２〜２３ｅ２は、Ｙ１−Ｙ２方向に直線形状で形成され、一列に並んでいる。配線層１５ｅの接続端部２３ｅは他の接続端部２３ａ〜２３ｄに比べて最も大きく形成され、また略矩形状で形成される。一方、接続端部２３ａ〜２３ｄは、Ｘ１側端部に傾斜面２３ａ３〜２３ｄ３を有しており、接続端部２３ｅとは異なる形状である。各接続端部２３ａ〜２３ｅの大きさは、接続端部２３ａ＜接続端部２３ｂ＜接続端部２３ｃ＜接続端部２３ｄ＜接続端部２３ｅの順となっている。
【００３６】
次に、配線延出部２４ａ〜２４ｅについて説明する。配線延出部２４ａ〜２４ｅは、配線層１５ａ〜１５ｅのうち、接続端部２３ａ〜２３ｅ及び図１に示す外部接続部２７以外の部分を指す。各配線延出部２４ａ〜２４ｅは、Ｘ１側非入力領域１２ａとＹ２側非入力領域１２ｂに引き回される。Ｘ１側非入力領域１２ａに形成される配線延出部２４ａ〜２４ｅの長さ寸法は、配線延出部２４ａ＜配線延出部２４ｂ＜配線延出部２４ｃ＜配線延出部２４ｄ＜配線延出部２４ｅの順となっている。
【００３７】
本実施形態では、各配線延出部２４ａ〜２４ｅの配線幅（Ｘ１−Ｘ２方向における幅寸法）は、Ｘ１−Ｘ２方向にて並設される前記配線層の本数が少ない領域ほど、大きく形成される点に特徴的部分がある。
【００３８】
図４（ｂ）の各図は、図４（ａ）と対応する領域の各配線延出部２４ａ〜２４ｅの配線幅を図示したものである。図４（ｂ−５）の領域では、図４（ａ）に示すように、全ての配線延出部２４ａ〜２４ｅがＸ１−Ｘ２方向に所定の間隔を空けて並設されている。よって、図４（ｂ−５）に示す各配線延出部２４ａ〜２４ｅの領域では、各配線延出部２４ａ〜２４ｅの中で最も配線幅が小さく形成される。
【００３９】
次に、図４（ｂ−５）に示す領域よりもＹ１側に位置する図４（ｂ−４）に示す領域では、図４（ａ）に示すように、配線延出部２４ａが形成されておらず、図４（ｂ−５）に示す領域よりも一本少ない配線延出部２４ｂ〜２４ｅがＸ１−Ｘ２方向に所定の間隔を空けて並設されている。よって、図４（ｂ−４）の領域における各配線延出部２４ｂ〜２４ｅの配線幅は、図４（ｂ−５）における各配線延出部２４ｂ〜２４ｅの配線幅よりも大きく形成される。
【００４０】
次に、図４（ｂ−４）に示す領域よりもＹ１側に位置する図４（ｂ−３）に示す領域では、図４（ａ）に示すように、配線延出部２４ａ，２４ｂが形成されておらず、図４（ｂ−４）に示す領域よりも一本少ない配線延出部２４ｃ〜２４ｅがＸ１−Ｘ２方向に所定の間隔を空けて並設されている。よって、図４（ｂ−３）の領域における各配線延出部２４ｃ〜２４ｅの配線幅は、図４（ｂ−４）における各配線延出部２４ｃ〜２４ｅの配線幅よりも大きく形成される。
【００４１】
次に、図４（ｂ−３）に示す領域よりもＹ１側に位置する図４（ｂ−２）に示す領域では、図４（ａ）に示すように、配線延出部２４ａ〜２４ｃが形成されておらず、図４（ｂ−３）よりも一本少ない配線延出部２４ｄ，２４ｅがＸ１−Ｘ２方向に所定の間隔を空けて並設されている。よって、図４（ｂ−２）の領域における各配線延出部２４ｄ，２４ｅの配線幅は、図４（ｂ−３）における各配線延出部２４ｄ，２４ｅの配線幅よりも大きく形成される。
【００４２】
次に、図４（ｂ−２）に示す領域よりもＹ１側に位置する図４（ｂ−１）に示す領域では、図４（ａ）に示すように、配線延出部２４ａ〜２４ｄが形成されておらず、配線延出部２４ｅのみがＸ１−Ｘ２方向に設けられる。よって、図４（ｂ−１）の領域における配線延出部２４ｅの配線幅は、図４（ｂ−２）における各配線延出部２４ｅの配線幅よりも大きく形成される。
【００４３】
よって、図４（ｂ−１）〜図４（ｂ−５）に示すように、配線延出部２４ｅの各領域での配線幅を見てみると、図４（ｂ−５）での幅寸法Ｔ５＜図４（ｂ−４）での幅寸法Ｔ４＜図４（ｂ−３）での幅寸法Ｔ３＜図４（ｂ−２）での幅寸法Ｔ２＜図４（ｂ−１）での幅寸法Ｔ１の順となっている。
【００４４】
図４（ｂ−１）〜図４（ｂ−５）では、各領域において、Ｘ１−Ｘ２方向で並設される各配線延出部２４ａ〜２４ｅの配線幅は同じ幅寸法Ｔ２〜Ｔ５で形成されていたが、例えば、図４（ｃ−１）〜図４（ｃ−３）に示すように、各領域においてＸ１−Ｘ２方向で並設される各配線延出部２４ａ〜２４ｅの配線幅を異なる幅寸法で形成することも可能である。図４（ｃ−１）〜図４（ｃ−３）の各領域では、夫々、配線長さの長い配線延出部２４ｅ＞配線延出部２４ｄ・・の順に配線幅が大きくなるように調整している。
【００４５】
このように本実施形態では、各配線延出部２４ａ〜２４ｅの配線幅を従来のように細い一定幅で形成するのでなく、並設される配線層の本数が少ない領域ほど、各配線延出部２４ａ〜２４ｅの配線幅を大きく形成した。よって、配線延出部の長さ寸法が長くても、並設される配線層の本数が少ない領域では、それだけ、配線幅を大きく形成することができるため、断線の確率を従来よりも効果的に低くすることが出来る。最も配線長さの長い配線延出部２４ｅを見てみると、図４（ｂ−５）から図４（ｂ−１）の各領域にかけて、徐々に配線幅を大きくすることができ、よって並設される配線層の本数に関わらず、配線幅を一律に細い幅で形成していた従来に比べて、配線延出部２４ｅにおける断線の確率を効果的に減少させることが可能である。
【００４６】
更に本実施形態では、各配線延出部の配線幅は、配線延出部の長さ寸法が長くなるほど、平均して大きく形成することができる。つまり配線延出部２４ａの配線幅（平均）＜配線延出部２４ｂの配線幅（平均）＜配線延出部２４ｃの配線幅（平均）＜配線延出部２４ｄの配線幅（平均）＜配線延出部２４ｅの配線幅（平均）の順にできる。よって各配線層１５ａ〜１５ｅの配線抵抗のばらつきを従来に比べて小さくすることが可能になる。
【００４７】
また本実施形態では、配線延出部２４ｄを例にとると、配線延出部２４ｄには、Ｙ１−Ｙ２方向に向けて徐々にＸ１−Ｘ２方向の配線幅が変化する幅変化領域２４ｄ１〜２４ｄ３が形成されている。また幅変化領域２４ｄ１〜２４ｄ３には、Ｙ１−Ｙ２方向に平行に延出する幅一定領域が連続して接続されており、幅一定領域−幅変化領域２４ｄ１−幅一定領域−幅変化領域２４ｄ２−幅一定領域−幅変化領域２４ｄ３−幅一定領域の順に接続された形状となっている。図４（ａ）に示すように各幅変化領域２４ｄ１〜２４ｄ３は、幅一定領域から折れ曲がって形成されている。このように幅変化領域２４ｄ１〜２４ｄ３を折れ曲がるように形成することで、限られたＸ１側非入力領域１２ａ内に効率よく、複数本の配線延出部２４ａ〜２４ｅを配置することが可能である。なお幅変化領域について、配線延出部２４ｄを例にして説明したが、他の配線延出部２４ｂ〜２４ｅにつても同様に幅変化領域を設けることができる。ただし、配線延出部２４ａは、最も配線長さが短いうえ、Ｘ１側非入力領域１２ａでは常に全配線延出部と対向した位置関係にあるため、幅変化領域を形成して、更に、配線延出部２４ａの配線幅を細くすることが必要ではない。つまり、配線延出部２４ａについては一定の配線幅で形成することができる。最も外側に位置する配線延出部２４ｅにも、徐々に配線幅が変化する幅変化領域が形成されるが、幅一定領域から折れ曲がるように形成されておらず、配線延出部２４ｅのＸ１側端部２４ｅ１はＹ１−Ｙ２方向に直線的に延びる形状で形成されている。
【００４８】
また図４（ａ）に示すように、各幅変化領域２４ｄ１〜２４ｄ３における側端部２５のＹ１−Ｙ２方向に対する傾き角度θ１は、０°より大きく４５°以下であることが好適である。このような傾き角度θ１で幅変化領域を形成することで、特に製造方法における以下の効果を期待することができる。
【００４９】
図８は、本実施形態における下部基板２２における製造方法を示す一工程図である。図８（ａ）に示す工程では、下部基材３２上の全面にＩＴＯ等の透明導電層１６をスパッタ法や蒸着法等で形成する。更に、透明導電層１６の表面全面に金属材料層３５をスパッタ法や蒸着法等で形成する。
【００５０】
次に図８（ｂ）の工程では、金属材料層３５の非入力領域１２の表面に、各配線層１５ａ〜１５ｊのパターンから成るレジスト層３６をフォトリソグラフィ技術により形成する。すなわち図４に示す配線層１５ａ〜１５ｅの平面パターンを備えるレジスト層３６を形成する。よってレジスト層３６には、図４（ａ）に示す傾き角度θ１を有して幅変化領域を形成する。このときの傾き角度θ１は、０°より大きく４５°以下であることが好適である。
【００５１】
そして前記レジスト層３６に覆われていない金属材料層３５を例えばウエットエッチングにより除去する。このとき、０°よりも大きく４５°以下の傾き角度θ１を有して幅変化領域の側部を形成することで、幅一定領域から幅変化領域にかけてのコーナー部分（例えば図４（ａ）の符号Ａの部分）が直角にならず、なだらかに傾きが変化するため、前記コーナー部分にエッチング液の液溜りができるのを抑制できる。したがって各配線層１５ａ〜１５ｅの配線延出部２４ａ〜２４ｅを所定の配線幅にて適切に形成することができる。
【００５２】
図８（ｃ）の工程では、各配線層１５（図８（ｃ）では統一して符号１５で示した）上から透明導電層１６上にかけてレジスト層３７を形成する。前記レジスト層３７を、フォトリソグラフィ技術により、入力領域１１では、各下部電極層１４と同じ電極パターンにて形成し、更に前記電極パターンに連続して非入力領域１２では、各配線層１５上を覆う配線パターンにて形成する。そして前記レジスト層３７に覆われていない透明導電層１６を除去する。これにより、入力領域１１には、図１に示す各下部電極層１４を形成でき、非入力領域１２では、各配線層１５の下に透明導電層１６を残すことができる。上記した製造方法を用いて上部基板２１も形成することが可能である。なお上記した製造方法はあくまでも一例であり、他の製造方法により各基板２１，２２を形成することが可能である。
【００５３】
なお各配線層をスクリーン印刷、グラビア印刷、インクジェット印刷等の印刷法で形成することもできる。また、配線層としては、Ａｇペースト、Ａｇナノ材料、Ｃｕナノ材料等を用いることができる。
【００５４】
なお、図４に示す配線構造は、下部基板２２のみならず上部基板２１にも適用することが可能である。図２に示すように上部基板２１の配線層１８ａ〜１８ｇは、Ｙ１−Ｙ２方向にて並設される配線層の本数がＸ１−Ｘ２方向に向けて変化している。よって、各配線層１８ａ〜１８ｇのＸ１−Ｘ２方向に延びる配線延出部の配線幅（Ｙ１−Ｙ２方向の幅寸法）を、Ｙ１−Ｙ２方向にて並設される配線層の本数が少ない領域ほど大きく形成することが可能である。
【００５５】
図３では、下部基板２２の下部電極層１４及び上部基板２１の上部電極層１３を全て操作面２０ａ側に向けた状態で、下部基板２２と上部基板２１間が粘着層３０を介して接合されているが、図５のように、下部基板２２の下部電極層１４を操作面２０ａ側に向けて、上部基板２１の上部電極層１３を、操作面２０ａ側とは逆側に向けた状態にして、下部基板２２と上部基板２１間が粘着層３０を介して接合されていてもよいし、あるいは、図６に示すように、一つの基材３８の上下面に下部電極層１４及び上部電極層１３が形成された形態としてもよい。
【００５６】
または、図７（ａ）（ｂ）に示す構成であってもよい。図７（ａ）は部分平面図であるが（ｂ）に示す絶縁層等を省略した。また図７（ｂ）は図７（ａ）のＡ−Ａ線に沿って切断し矢印方向から見た部分縦断面図である。図７（ａ）（ｂ）では、一つの基材３８の表面に複数の電極層５０，５１を配列し、このうち電極層５０をＸ方向に向けて接続するとともに、電極層５０の連結部５２上を絶縁層５３で覆う。そして、絶縁層５３上に各電極層５１を接続するための連結部５４を形成し、連結部５４を介して各電極層５１をＹ方向に繋げている。図７の構成では、同じ基材３８の同じ表面に、Ｘ方向に繋がる電極層５０とＹ方向に繋がる電極層５１とが形成されている。
【００５７】
上記実施形態では、静電容量式の入力装置を用いて説明したが、本実施形態における配線構造は、静電容量式以外の、例えば、マルチタッチ方式の抵抗式入力装置にも適用できる。
【００５８】
本実施形態における入力装置は、携帯電話機、デジタルカメラ、ＰＤＡ、ゲーム機、カーナビゲーション等に使用される。
【符号の説明】
【００５９】
１１  入力領域
１２、１２ａ〜１２ｃ  非入力領域
１３  上部電極層
１４  下部電極層
１５、１５ａ〜１５ｊ、１８ａ〜１８ｇ  配線層
２１  上部基板
２２  下部基板
２３ａ〜２３ｅ  接続端部
２４ａ〜２４ｅ  配線延出部
３６、３７  レジスト層
２４ｄ１〜２４ｄ３  幅変化領域
５０、５１  電極層
【図１】
2012011390.tif 000003
【図２】
2012011390.tif 000004
【図３】
2012011390.tif 000005
【図４】
2012011390.tif 000006
【図５】
2012011390.tif 000007
【図６】
2012011390.tif 000008
【図７】
2012011390.tif 000009
【図８】
2012011390.tif 000010
【図９】
2012011390.tif 000011
【手続補正書】
【提出日】平成23年11月15日(2011.11.15)
【手続補正１】
【補正対象書類名】特許請求の範囲
【補正対象項目名】全文
【補正方法】変更
【補正の内容】
【特許請求の範囲】
【請求項１】
入力領域に設けられた電極層と、入力領域の外側の非入力領域にて引き回された配線層とを有し、
前記配線層は、前記電極層の端部との接続位置に設けられた接続端部と、前記接続端部から引き出された配線延出部とを備え、
平面内にて直交する２方向を第１の方向と第２の方向としたとき、複数本の前記配線層における前記配線延出部が、夫々、前記入力領域から見て同じ側の前記非入力領域で前記第１の方向に間隔を空けた状態で前記第２の方向に延出しているとともに、各配線延出部の配線幅は、前記第１の方向にて並設される前記配線層の本数が少ない領域ほど、大きく形成されており、
前記配線延出部には、前記第２の方向に向けて徐々に配線幅が変化する幅変化領域が形成されていることを特徴とする入力装置。
【請求項２】
前記幅変化領域における側端部の前記第２の方向に対する傾き角度θ１は４５°以下である請求項１記載の入力装置。
【請求項３】
前記配線延出部は、前記第２の方向に向けて、前記幅変化領域と、前記第２の方向に平行に延びる配線幅が一定の幅一定領域とが交互に繰り返して形成されており、前記幅変化領域は前記幅一定領域から折れ曲がって形成されている請求項１または２に記載の入力装置。
【請求項４】
前記各配線延出部における前記幅一定領域の配線幅は、前記第１の方向にて並設される前記配線層の本数が同じ各領域にて、同じ幅寸法で形成される請求項３記載の入力装置。
【請求項５】
入力領域に設けられた電極層と、入力領域の外側の非入力領域にて引き回された配線層とを有して成る入力装置の製造方法において、
前記電極層の端部との接続位置に設けられた接続端部と、前記接続端部から引き出された配線延出部とを備える前記配線層をエッチングにて所定形状に形成し、
平面内にて直交する２方向を第１の方向と第２の方向としたとき、複数本の前記配線層における前記配線延出部を、夫々、前記入力領域から見て同じ側の前記非入力領域で前記第１の方向に間隔を空けた状態で前記第２の方向に延出させるとともに、各配線延出部の配線幅を、前記第１の方向にて並設される前記配線層の本数が少ないほど、大きく形成するとともに、前記配線延出部に、前記第２の方向に向けて徐々に配線幅が変化する幅変化領域を形成することを特徴とする入力装置の製造方法。
【請求項６】
前記幅変化領域における側端部の前記第２の方向に対する傾き角度θ１を４５°以下に設定する請求項５記載の入力装置の製造方法。
【請求項７】
前記配線延出部を、前記第２の方向に向けて、前記幅変化領域と、前記第２の方向に平行に延びる配線幅が一定の幅一定領域とを交互に繰り返して形成し、このとき、前記幅変化領域を前記幅一定領域から折れ曲がるように形成する請求項５または６に記載の入力装置の製造方法。
【請求項８】
前記各配線延出部における前記幅一定領域の配線幅を、前記第１の方向にて並設される前記配線層の本数が同じ各領域にて、同じ幅寸法で形成する請求項７記載の入力装置の製造方法。
【手続補正書】
【提出日】平成23年12月13日(2011.12.13)
【手続補正１】
【補正対象書類名】明細書
【補正対象項目名】０００９
【補正方法】変更
【補正の内容】
【０００９】
本発明における入力装置は、
入力領域に設けられた電極層と、入力領域の外側の非入力領域にて引き回された配線層とを有し、
前記配線層は、前記電極層の端部との接続位置に設けられた接続端部と、前記接続端部から引き出された配線延出部とを備え、
平面内にて直交する２方向を第１の方向と第２の方向としたとき、複数本の前記配線層における前記配線延出部が、夫々、前記入力領域から見て同じ側の前記非入力領域で前記第１の方向に間隔を空けた状態で前記第２の方向に延出しているとともに、各配線延出部の配線幅は、前記第１の方向にて並設される前記配線層の本数が少ない領域ほど、大きく形成されており、
前記配線延出部には、前記第２の方向に向けて徐々に配線幅が変化する幅変化領域が形成されていることを特徴とするものである。
【手続補正２】
【補正対象書類名】明細書
【補正対象項目名】００１０
【補正方法】変更
【補正の内容】
【００１０】
また本発明は、入力領域に設けられた電極層と、入力領域の外側の非入力領域にて引き回された配線層とを有して成る入力装置の製造方法において、
前記電極層の端部との接続位置に設けられた接続端部と、前記接続端部から引き出された配線延出部とを備える前記配線層をエッチングにて所定形状に形成し、
平面内にて直交する２方向を第１の方向と第２の方向としたとき、複数本の前記配線層における前記配線延出部を、夫々、前記入力領域から見て同じ側の前記非入力領域で前記第１の方向に間隔を空けた状態で前記第２の方向に延出させるとともに、各配線延出部の配線幅を、前記第１の方向にて並設される前記配線層の本数が少ないほど、大きく形成するとともに、前記配線延出部に、前記第２の方向に向けて徐々に配線幅が変化する幅変化領域を形成することを特徴とするものである。
【手続補正３】
【補正対象書類名】明細書
【補正対象項目名】００１２
【補正方法】変更
【補正の内容】
【００１２】
また前記幅変化領域における側端部の前記第２の方向に対する傾き角度θ１は４５°以下であることが好ましい。更に、前記配線延出部は、前記第２の方向に向けて、前記幅変化領域と、前記第２の方向に平行に延びる配線幅が一定の幅一定領域とが交互に繰り返して形成されており、前記幅変化領域は前記幅一定領域から折れ曲がって形成されていることが好ましい。
また本発明では、前記各配線延出部における前記幅一定領域の配線幅は、前記第１の方向にて並設される前記配線層の本数が同じ各領域にて、同じ幅寸法で形成されることが好ましい。
【手続補正書】
【提出日】平成24年3月1日(2012.3.1)
【手続補正１】
【補正対象書類名】特許請求の範囲
【補正対象項目名】全文
【補正方法】変更
【補正の内容】
【特許請求の範囲】
【請求項１】
入力領域に設けられた電極層と、入力領域の外側の非入力領域にて引き回された配線層とを有し、
前記配線層は、前記電極層の端部との接続位置に設けられた接続端部と、前記接続端部から引き出された配線延出部とを備え、
平面内にて直交する２方向を第１の方向と第２の方向としたとき、複数本の前記配線層における前記配線延出部が、夫々、前記入力領域から見て同じ側の前記非入力領域で前記第１の方向に間隔を空けた状態で前記第２の方向に延出しているとともに、各配線延出部の配線幅は、前記第１の方向にて並設される前記配線層の本数が少ない領域ほど、大きく形成されており、
前記配線延出部には、前記第２の方向に向けて徐々に配線幅が変化する幅変化領域が形成されていることを特徴とする入力装置。
【請求項２】
前記幅変化領域における側端部の前記第２の方向に対する傾き角度θ１は４５°以下である請求項１記載の入力装置。
【請求項３】
前記配線延出部は、前記第２の方向に向けて、前記幅変化領域と、前記第２の方向に平行に延びる配線幅が一定の幅一定領域とが交互に繰り返して形成されており、前記幅変化領域は前記幅一定領域から折れ曲がって形成されている請求項１または２に記載の入力装置。
【請求項４】
前記各配線延出部における前記幅一定領域の配線幅は、前記第１の方向にて並設される前記配線層の本数が同じ各領域にて、同じ幅寸法で形成される請求項３記載の入力装置。
【請求項５】
入力領域に設けられた電極層と、入力領域の外側の非入力領域にて引き回された配線層とを有して成る入力装置の製造方法において、
前記電極層の端部との接続位置に設けられた接続端部と、前記接続端部から引き出された配線延出部とを備える前記配線層をエッチングにて所定形状に形成し、
平面内にて直交する２方向を第１の方向と第２の方向としたとき、複数本の前記配線層における前記配線延出部を、夫々、前記入力領域から見て同じ側の前記非入力領域で前記第１の方向に間隔を空けた状態で前記第２の方向に延出させるとともに、各配線延出部の配線幅を、前記第１の方向にて並設される前記配線層の本数が少ないほど、大きく形成するとともに、前記配線延出部に、前記第２の方向に向けて徐々に配線幅が変化する幅変化領域を形成することを特徴とする入力装置の製造方法。
【請求項６】
前記幅変化領域における側端部の前記第２の方向に対する傾き角度θ１を４５°以下に設定する請求項５記載の入力装置の製造方法。
【請求項７】
前記配線延出部を、前記第２の方向に向けて、前記幅変化領域と、前記第２の方向に平行に延びる配線幅が一定の幅一定領域とを交互に繰り返して形成し、このとき、前記幅変化領域を前記幅一定領域から折れ曲がるように形成する請求項５または６に記載の入力装置の製造方法。
【請求項８】
前記各配線延出部における前記幅一定領域の配線幅を、前記第１の方向にて並設される前記配線層の本数が同じ各領域にて、同じ幅寸法で形成する請求項７記載の入力装置の製造方法。
【国際調査報告】
2012011390.tif 000012
2012011390.tif 000013